Podtech/llm-jp-corpus-v4-ja_patent huggingface dataset:
【手続補正書】
【提出日】平成18年12月6日(2006.12.6)
【手続補正１】
【補正対象書類名】特許請求の範囲
【補正対象項目名】全文
【補正方法】変更
【補正の内容】
【特許請求の範囲】
【請求項１】
下記組成（wt％）：
炭素        ：０．１以下、
窒素        ：０．１以下、
銅          ：０．５〜４、
クロム      ：１０〜１４、
モリブデン  ：０．５〜６、
ニッケル    ：７〜１１、
コバルト    ：０〜９、
タンタル    ：０．１以下、
ニオブ      ：０．１以下、
バナジウム  ：０．１以下、
タングステン：０．１以下、
アルミニウム：０．０５〜０．６、
チタン      ：０．４〜１．４、
シリコン    ：０．７以下、
マンガン    ：１．０以下、
鉄          ：残部、
および通常の製鋼添加物および不純物を有し、被覆され表面硬化された析出硬化型ステンレス鋼であって、被覆と表面硬化が単一の同一処理によって施されており、高強度および／または高靭性と耐摩耗性を兼備し、更に被膜の摩擦を低減し且つ被膜の接合性を高めたことを特徴とする被覆表面硬化析出硬化型ステンレス鋼。
【請求項２】
請求項１において、上記被膜が上記鋼の窒化された表面上に施されていることを特徴とする析出硬化型ステンレス鋼。
【請求項３】
請求項１において、上記被膜が実質的に単層から成ることを特徴とする析出硬化型ステンレス鋼。
【請求項４】
請求項１において、上記被膜が実質的にダイヤモンド状カーボン（ＤＬＣ）の単層から成ることを特徴とする析出硬化型ステンレス鋼。
【請求項５】
請求項１において、上記被膜が実質的に、タングステン炭化物を添加したダイヤモンド状カーボン（ＤＬＣ）の単層から成ることを特徴とする析出硬化型ステンレス鋼。
【請求項６】
請求項１において、上記被膜が実質的に窒化チタンから成ることを特徴とする析出硬化型ステンレス鋼。
【請求項７】
請求項１において、擬結晶構造を持つ粒子の析出によって強化されていることを特徴とする析出硬化型ステンレス鋼。
【請求項８】
超硬質の耐摩耗性表面が低静摩擦を有するステンレス鋼の製造方法において、該方法はＰＶＤ法により表面硬化と同一の単一の処理により低摩擦被膜を施し、該ステンレス鋼は下記の組成（wt％）：
炭素        ：０．１以下、
窒素        ：０．１以下、
銅          ：０．５〜４、
クロム      ：１０〜１４、
モリブデン  ：０．５〜６、
ニッケル    ：７〜１１、
コバルト    ：０〜９、
タンタル    ：０．１以下、
ニオブ      ：０．１以下、
バナジウム  ：０．１以下、
タングステン：０．１以下、
アルミニウム：０．０５〜０．６、
チタン      ：０．４〜１．４、
シリコン    ：０．７以下、
マンガン    ：１．０以下、
鉄          ：残部、
および通常の製鋼添加物および不純物を有することを特徴とするステンレス鋼の製造方法。
【請求項９】
請求項８において、上記低摩擦被膜が、ダイヤモンド状カーボン（ＤＬＣ）、窒化チタンを添加したダイヤモンド状カーボン（ＤＬＣ）の少なくとも一方を含むことを特徴とする方法。
【請求項１０】
超硬質の耐摩耗性表面が低静摩擦を有するステンレス鋼の製造方法において、該方法はＰＶＤ法により低摩擦被膜を該ステンレス鋼のプラズマ窒化表面上に同一の処理により施し、該ステンレス鋼は下記の組成（wt％）：
炭素        ：０．１以下、
窒素        ：０．１以下、
銅          ：０．５〜４、
クロム      ：１０〜１４、
モリブデン  ：０．５〜６、
ニッケル    ：７〜１１、
コバルト    ：０〜９、
タンタル    ：０．１以下、
ニオブ      ：０．１以下、
バナジウム  ：０．１以下、
タングステン：０．１以下、
アルミニウム：０．０５〜０．６、
チタン      ：０．４〜１．４、
シリコン    ：０．７以下、
マンガン    ：１．０以下、
鉄          ：残部、
および通常の製鋼添加物および不純物を有することを特徴とするステンレス鋼の製造方法。
【請求項１１】
請求項９において、上記低摩擦被膜が、ダイヤモンド状カーボン（ＤＬＣ）、窒化チタンを添加したダイヤモンド状カーボン（ＤＬＣ）の少なくとも一方を含むことを特徴とする方法。
【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
コインチェッカに挿入され、行及び列を備えチェックされるコインのイメージを記録するイメージセンサを通過するコインのテスト方法であって、
前記コインの移動方向において、少なくとも１つのフロント列及び/又は前記イメージセンサの少なくとも１つの行を用いて、時間的な検知情報と共に前記コインの移動についての情報を提供するパラメータを検知し、
前記パラメータに応じて、前記コインが前記イメージセンサの記録に望ましい対象エリアに現れるときを判断し、
前記対象エリアの列及び行の駆動へ前記イメージセンサを切り替え、記録を始動し、
前記コインの頂点は、前記移動方向における少なくとも１つのフロント列により走査され、
前記コインの直径は、前記頂点の走査から測定され、
前記コインを記録するために該コインを覆う前記対象エリアは、該対象エリアを有する制限部分でのみ駆動する前記イメージセンサの前記列及び行に応じて測定されることを特徴とするコインのテスト方法。
【請求項２】
前記コインのスピードは、前記直径に加え、先端及び前記頂点の走査の瞬間の関数として算出されることを特徴とする請求項１に記載のテスト方法。
【請求項３】
前記コインの前記頂点を検知した後、前記イメージセンサの少なくとも１つの行が、前記直径の半分の高さで駆動することを特徴とする請求項１又は２に記載のテスト方法。
【請求項４】
前記コインの前記先端は、進入の間に走査され、前記コインの前記スピード及び/又は加速度は、走査の瞬間及び対象距離の関数として算出されることを特徴とする請求項１に記載のテスト方法。
【請求項５】
記録のための前記コインの時間及び/又は位置は、前記スピード及/又は前記加速度の関数として測定されることを特徴とする請求項１乃至４のいずれか１項に記載のテスト方法。
【請求項６】
前記コインの前記先端は、前記コインの前記移動方向に配列され、少なくとも１つの前記フロント列を補う追加列により走査され、前記スピードは、前記先端の走査時間及び前記列の間の距離の関数として算出されることを特徴とする請求項１又は５に記載のテスト方法。
【請求項７】
前記先端及び後端は、少なくとも１つの行により走査され、前記対象エリアの列及び行は駆動し、前記記録は、前記走査の時間に応じて始動することを特徴とする請求項９に記載のテスト方法。
【請求項８】
前記コインが、前記少なくとも１つの列を通過すると、前記コインの高さパターンは、検知及び評価され、前記高さパターンにおける不連続は、溝として評価されることを特徴とする請求項１乃至６のいずれか１項に記載のテスト方法。
【請求項９】
前記溝の幅は、前記コインのスピードがわかると測定されることを特徴とする請求項８に記載のテスト方法。
【請求項１０】
前記コインを照射するための照明装置は、記録時にパルス状に駆動することを特徴とする請求項１乃至９のいずれか１項に記載のテスト方法。
【請求項１１】
コインチェッカに挿入されるコインのテスト装置において、
該装置は、イメージセンサ（２）と、該イメージセンサ（２）に接続された評価装置（３）とを備え、
前記イメージセンサ（２）は、該イメージセンサ（２）を通過しチェックされる前記コイン（５）のイメージを記録するための行及び列を備え、
前記コイン（５）の移動方向の少なくとも１つのフロント列（７）及び/又は前記イメージセンサ（２）の少なくとも１つの行（９）は、前記コインの一部を検知するために駆動し、
前記評価装置（３）は、前記イメージセンサ（２）の信号及び関連する時間的な情報から所望の対象エリアを判断し、記録のために前記イメージセンサを始動させ、
前記行及び列は、互いに個別及び/又はサブエリアで駆動するように配置され、
前記評価装置（３）は、頂点及び前記コインの直径を前記少なくとも１つのフロント列の信号から測定し、記録位置での前記コインを覆う対象領域を前記直径から測定し、
前記評価装置は、前記対象エリアを有する制限部分での前記イメージセンサの前記列及び行を駆動することを特徴とするテスト装置。
【請求項１２】
照明装置は、前記評価ユニット（３）に接続され、記録時に前記イメージセンサ（２）のパルス照明を行なうことを特徴とする請求項１１に記載のテスト装置。
【請求項１３】
前記コインの進入チェックのために前記コインを照射する別の照明装置が設けられていることを特徴とする請求項１１又は１２に記載のテスト装置。
【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
ウオッチポイントトリガおよびウオッチポイントアクションを含む少なくとも１つのウオッチポイントをメディアストリームに関連付けるステップと、
少なくとも１つの上演装置による前記メディアストリームの上演時における前記ウオッチポイントアクションの発生によって、前記ウオッチポイントアクションを実行するステップとを含み、
前記ウオッチポイントトリガもしくは前記ウオッチポイントアクションまたはその両方が、前記上演装置の外部の１つ以上の操作、装置または状態に関連付けられるか、または、応答することを特徴とする方法。
【請求項２】
前記ウオッチポイントトリガが前記上演装置に関連付けられ、前記ウオッチポイントアクションが第２の上演装置への前記メディアストリームの実質的に継ぎ目のない転送を含むことを特徴とする請求項１に記載の方法。
【請求項３】
前記ウオッチポイントトリガが前記メディアストリームのクレジット表示に応答し、前記ウオッチポイントアクションが前記クレジットの始まり時に近くの室内灯を調節することを含むことを特徴とする請求項１に記載の方法。
【請求項４】
前記ウオッチポイントトリガがコマーシャルブレークに応答し、前記ウオッチポイントアクションが前記コマーシャルブレーク間に前記メディアストリームのための音量を小さくすることを特徴とする請求項１に記載の方法。
【請求項５】
前記ウオッチポイントトリガが、電話の呼出、インターネット接続、インターネット状態、および家庭用電化製品検出器のうちの少なくとも１つに応答することを特徴とする請求項１に記載の方法。
【請求項６】
前記上演装置が乗物に装備され、前記ウオッチポイントトリガが、乗物のコントローラ、乗物の位置もしくは速度のためのＧＰＳ検出器、および、乗物に関するセンサのうちの少なくとも１つに応答することを特徴とする請求項１に記載の方法。
【請求項７】
前記ウオッチポイントアクションが、前記上演装置の外部の少なくとも１つの装置の状態を変更または編集することであることを特徴とする請求項１に記載の方法。
【請求項８】
前記ウオッチポイントトリガが前記メディアストリームの視聴率または前記メディアストリームの上演時間であり、
前記ウオッチポイントアクションが、前記ウオッチポイントトリガに応じて、自動的な電話の呼出またはインターネット通信に応答するか、またはそれを開始することを特徴とする請求項１に記載の方法。
【請求項９】
前記ウオッチポイントアクションが、前記メディアストリームの上演選択を変更することであることを特徴とする請求項１に記載の方法。
【請求項１０】
前記ウオッチポイントトリガが、前記上演装置のユーザの特徴に関する情報に応答することを特徴とする請求項１に記載の方法。
【請求項１１】
前記情報は、ユーザの年齢、家の場所、収入、ＶＡＬＳ評価、またはＧＰＳ位置を含むことを特徴とする請求項１０に記載の方法。
【請求項１２】
前記ウオッチポイントトリガが、外部イベントに応答することを特徴とする請求項１に記載の方法。
【請求項１３】
前記外部イベントは、前記上演装置近くの人間の存否、数、または前記人間に関する情報を含むことを特徴とする請求項１２に記載の方法。
【請求項１４】
前記ウオッチポイントトリガが、前記上演装置と同じ部屋、スイーツ、アパートまたは建物にある他の装置または物体の動作または状態に応答することを特徴とする請求項１に記載の方法。
【請求項１５】
前記ウオッチポイントトリガは、内部もしくは外部の温度、時間、曜日、週、または、選択された日が休日もしくは学校休日であるかその前日であるか応答することを特徴とする請求項１に記載の方法。
【請求項１６】
前記ウオッチポイントトリガが、外部データに関する動的情報に応答することを特徴とする請求項１に記載の方法。
【請求項１７】
前記外部データは、ニュースアナウンス、公開イベント、株価表示器、または天気を含むか、これに関連するものであることを特徴とする請求項１６に記載の方法。
【請求項１８】
前記外部データは、キーワードに応じてフィルタリングまたは検索されることを特徴とする請求項１６に記載の方法。
【請求項１９】
前記ウオッチポイントアクションは、前記メディアストリームの上演を一時停止、スキップまたは変更することであることを特徴とする請求項１に記載の方法。
【請求項２０】
前記いずれかの請求項に記載の方法を実行する装置。
【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
可変表面領域を提供する拡張・格納式パネルを有する構造体であって、
第一パネルと、
第一の単一ピボット点によって第一パネルにピボット回転可能に取り付けられた第二パネルと、
第二の単一ピボット点によって第一パネルにピボット回転可能に取り付けられた第三パネルとを有し、第二、第三パネルは、これら第二パネル、第三パネルと第一パネルとの重なりが最小である第一の位置と、第二パネル、第三パネルと第一パネルとの重なりが最大である第二の位置との間で可動である構造体。
【請求項２】
拡張・格納可能なパネルを備えることで可変表面領域を提供するつば構造体を有する頭部装具において、
前記構造体が取付けられることで長さと幅とが可変的に調節可能とされたつばを備えた頭部装具であって、
前記構造体は更に、
第一パネルと、
第一パネルにピボット回転可能に取り付けられた第二パネルと、
第一パネルにピボット回転可能に取り付けられた第三パネルとを有し、第二、第三パネルは、これら第二パネル、第三パネルと第一パネルとの重なりが最小である第一の位置と、第二パネル、第三パネルと第一パネルとの重なりが最大である第二の位置との間で可動である頭部装具。
【請求項３】
可変表面領域を提供する拡張・格納式パネルを有する構造体であって、
長さ方向と幅方向を有する第一パネルと、
第一の単一ピボット点によって第一パネルにピボット回転可能に取り付けられた第二パネルと、
第二の単一ピボット点によって第一パネルにピボット回転可能に取り付けられた第三パネルとを有し、第二、第三パネルは、第一パネル下方におけるこれら第二、第三パネルの格納位置と、第二及び／又は第三パネルが第一パネルの長さ及び幅の両方を超えて延在する展開位置との間で回転可能である構造体。
【請求項４】
前記構造体が取付けられることで長さと幅とが可変的に調節可能とされたつばを備えた頭部装具を更に包含する、請求項３に記載の構造体。
【請求項５】
前記構造体が取付けられることで可変的に調節可能とされた領域を有する支持表面を備えた家具を更に包含する、請求項１又は３に記載の構造体。
【請求項６】
第二及び第三パネルを同時に拡張・格納させる機構を更に含む、請求項１又は３に記載の構造体。
【請求項７】
前記機構は、第一パネル上のガイドと、第二、第三パネルの各々における細長いスロットと、これら細長いスロットを貫いて延び前記ガイドと係合するピンとを有し、ピンが一方向に動くことで両パネルが同時に拡張され、このピンが第二の方向である反対方向に動くことで両パネルが同時に格納される、請求項６に記載の構造体。
【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
ＡＭラジオ信号の処理方法であって、
上側波帯部分と下側波帯部分とを有するＡＭラジオ信号を受信し、
上側波帯部分及び下側波帯部分を復調して復調済み上側波帯信号及び下側波帯信号を発生させ、
復調済み上側波帯信号の直交成分を復調済み上側波帯信号と相関させ且つ復調済み下側波帯信号の直交成分を復調済み下側波帯信号と相関させることにより復調済み上側波帯信号及び復調済み下側波帯信号のノイズ電力を求め、
ノイズ電力に応答して復調済み上側波帯信号及び復調済み下側波帯信号に重み付けすることによって重み付けされた復調済み上側波帯信号及び重み付けされた復調済み下側波帯信号を発生させ、
重み付けされた復調済み上側波帯信号と重み付けされた復調済み下側波帯信号とを結合して出力信号を発生させるステップより成るＡＭラジオ信号の処理方法。
【請求項２】
ＡＭラジオ信号の処理方法であって、
上側波帯部分と下側波帯部分とを有するＡＭラジオ信号を受信し、
上側波帯部分及び下側波帯部分を復調して復調済み上側波帯信号及び下側波帯信号を発生させ、
ノイズ電力に応答して復調済み上側波帯信号及び復調済み下側波帯信号に重み付けすることによって重み付けされた復調済み上側波帯信号及び重み付けされた復調済み下側波帯信号を発生させ、
重み付けされた復調済み上側波帯信号と重み付けされた復調済み下側波帯信号とを結合して出力信号を発生させるステップより成り、
復調済み上側波帯信号及び復調済み下側波帯信号に重み付けするステップは、
復調済み上側波帯信号に重み付け係数を乗算し、
復調済み下側波帯信号に１から重み付け係数を減算した値を乗算するステップより成るＡＭラジオ信号の処理方法。
【請求項３】
ＡＭラジオ信号の処理方法であって、
上側波帯部分と下側波帯部分とを有するＡＭラジオ信号を受信し、
上側波帯部分及び下側波帯部分にフィルタリングを施し、
上側波帯部分及び下側波帯部分を復調して復調済み上側波帯信号及び下側波帯信号を発生させ、
ノイズ電力に応答して復調済み上側波帯信号及び復調済み下側波帯信号に重み付けすることによって重み付けされた復調済み上側波帯信号及び重み付けされた復調済み下側波帯信号を発生させ、
重み付けされた復調済み上側波帯信号と重み付けされた復調済み下側波帯信号とを結合して出力信号を発生させるステップより成り、
上側波帯部分及び下側波帯部分にフィルタリングを施すステップは、上側波帯部分及び下側波帯部分を複数のバンドパスフィルタに通して複数のフィルタリング済み信号を発生させるステップより成り、上側波帯部分及び下側波帯部分を復調するステップは、複数のフィルタリング済み信号を復調して複数の復調済み信号を発生させるステップより成るＡＭラジオ信号の処理方法。
【請求項４】
ＡＭラジオ信号の処理方法であって、
上側波帯部分と下側波帯部分とを有するＡＭラジオ信号を受信し、
上側波帯部分及び下側波帯部分を復調して復調済み上側波帯信号及び下側波帯信号を発生させ、
ノイズ電力に応答して復調済み上側波帯信号及び復調済み下側波帯信号に重み付けすることによって重み付けされた復調済み上側波帯信号及び重み付けされた復調済み下側波帯信号を発生させ、
重み付けされた復調済み上側波帯信号と重み付けされた復調済み下側波帯信号とを結合して出力信号を発生させるステップより成り、
上側波帯部分及び下側波帯部分を復調して復調済み上側波帯信号及び下側波帯信号を発生させるステップは、
ラジオ信号の虚数成分のヒルベルト変換に重み付けされた補正信号を乗算して重み付けされた信号を発生させ、
コヒーレントな両側波帯から重み付けされた信号を減算するステップより成るＡＭラジオ信号の処理方法。
【請求項５】
ＡＭラジオ信号を処理する回路であって、
ＡＭラジオ信号の上側波帯部分及び下側波帯部分を復調して復調済み上側波帯信号及び下側波帯信号を発生させる復調器と、
ノイズ電力に応答して復調済み上側波帯信号及び復調済み下側波帯信号に重み付けすることによって重み付けされた復調済み上側波帯信号及び重み付けされた復調済み下側波帯信号を発生させる回路と、
重み付けされた復調済み上側波帯信号と重み付けされた復調済み下側波帯信号とを結合する手段とより成り、
復調器は、ラジオ信号の虚数成分のヒルベルト変換に重み付けされた補正信号を乗算して重み付けされた信号を発生させ、コヒーレントな両側波帯から重み付けされた信号を減算するプロセッサより成るラジオ信号処理回路。
【請求項６】
ＡＭラジオ信号を処理する回路であって、
ＡＭラジオ信号の上側波帯部分及び下側波帯部分を復調して復調済み上側波帯信号及び下側波帯信号を発生させる復調器と、
ノイズ電力に応答して復調済み上側波帯信号及び復調済み下側波帯信号に重み付けすることによって重み付けされた復調済み上側波帯信号及び重み付けされた復調済み下側波帯信号を発生させる回路と、
重み付けされた復調済み上側波帯信号と重み付けされた復調済み下側波帯信号とを結合する手段とより成り、
復調済み上側波帯信号及び復調済み下側波帯信号に重み付けする回路は、復調済み上側波帯信号に重み付け係数を乗算し、復調済み下側波帯信号に１から重み付け係数を減算した値を乗算する、ＡＭラジオ信号処理回路。
【請求項７】
ＡＭラジオ信号を処理する復調器であって、
ＡＭラジオ信号の上側波帯部分及び下側波帯部分を復調して復調済み上側波帯信号及び下側波帯信号を発生させる回路と、
復調済み上側波帯信号の直交成分を復調済み上側波帯信号と相関させ、復調済み下側波帯信号の直交成分を復調済み下側波帯信号と相関させてノイズ電力を求める回路と、
ノイズ電力に応答して復調済み上側波帯信号及び復調済み下側波帯信号に重み付けすることによって重み付けされた復調済み上側波帯信号及び重み付けされた復調済み下側波帯信号を発生させる回路と、
重み付けされた復調済み上側波帯信号と重み付けされた復調済み下側波帯信号とを結合する回路とより成るＡＭラジオ信号を処理する復調器。
【請求項８】
ＡＭラジオ信号を処理する受信機であって、
上側波帯部分と下側波帯部分とを有するＡＭラジオ信号を受信する入力と、
復調済み上側波帯信号の直交成分を復調済み上側波帯信号と相関させ、復調済み下側波帯信号の直交成分を復調済み下側波帯信号と相関させてノイズ電力を求める回路と、
ノイズ電力に応答して復調済み上側波帯信号及び復調済み下側波帯信号に重み付けすることによって重み付けされた復調済み上側波帯信号及び重み付けされた復調済み下側波帯信号を発生させる回路と、
重み付けされた復調済み上側波帯信号と重み付けされた復調済み下側波帯信号とを結合して出力信号を発生させる結合手段とより成るＡＭラジオ信号を処理する受信機。
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
中継器情報を決定するために順方向リンクパイロット信号を中継器選別することを含む、前記順方向リンクパイロット信号を使用して移動局の所在の位置を決定する方法であって、
ウォータマーク中継器情報について時間的に変化する遅延要素を有する中継器において、少なくともいくつかの前記順方向リンクパイロット信号を変調すること、
移動局において、前記ウォータマーク情報が変調された中継された順方向リンクパイロット信号を含む、少なくともいくつかの前記順方向リンクパイロット信号を受信すること、
前記受信された順方向リンクパイロット信号に基づき、パイロット位相測定を行なうこと、
ある期間に亘り、順方向リンクパイロット信号の時間的に変化する遅延を推定すること、
順方向リンク信号が中継されたかどうかを識別するために、前記時間的に変化する遅延に応じて移動局において中継器識別を実行すること、
前記中継器識別に基づき、前記順方向リンクパイロット信号について中継器選別をすること、
所在の位置の決定のために十分に中継器選別がされた順方向リンクパイロット位相測定値が取得されたかどうかを決定すること、
もし十分に中継器選別がされた順方向リンクパイロット位相測定値が取得されていない場合は、時間的に変化する遅延について前記推定することを繰返し、中継器識別を実行し、そして所在の位置決定のために十分な中継器選別がされたパイロット位相測定値が取得されるまで、少なくとも１つの追加的に受信された順方向リンク信号について前記順方向リンクパイロット信号の中継器選別を行い、
中継されたものとして識別された順方向リンク信号から、前記推定された時間的に変化する遅延を実質的に除去することを含む、前記パイロット位相測定値を修正すること、および
前記移動局の位置を決定するために、位置決定エンティティに対し、パイロット位相測定値と、順方向リンクパイロット信号に関する何らかの中継器情報とを供給すること
を含む方法。
【請求項２】
中継器識別を前記実行することは、中継器情報を識別するために、前記時間的に変化する遅延推定値を、１セットの既知の時間的に遅延するウォータマークと相関させることを含む、請求項１に記載の方法。
【請求項３】
中継器識別を前記実行することは、固有の中継器ＩＤを識別することを更に含む、請求項２に記載の方法。
【請求項４】
擬似範囲測定値を検索するために、時間的に変化する遅延を前記推定する前に、ＧＰＳ探索を実行することを更に含む、請求項１に記載の方法。
【請求項５】
時間的に変化する遅延を前記推定する前に、位置決め目的のために十分なＧＰＳ擬似範囲測定値が取得されたかどうかを決定することを更に含む、請求項４に記載の方法。
【請求項６】
時間的に変化する遅延を前記推定することは、時間追跡ループを使用して前記時間的に変化する遅延を推定することを含む、請求項１に記載の方法。
【請求項７】
時間的に変化する遅延を前記推定することは、中継器探索器を使用して前記時間的に変化する遅延を推定することを含む、請求項１に記載の方法。
【請求項８】
時間的に変化する遅延を前記推定することは、複数の順方向リンクパイロット信号を前記受信することと並行して、時間追跡ループを使用して、アクティブな順方向リンクパイロット信号について行われ、そして
少なくとももう１つの受信された順方向リンク信号の時間的に変化する遅延を前記推定することは、中継器探索器を使用して行われる、請求項１に記載の方法。
【請求項９】
擬似範囲測定値を検索するために十分な中継器選別された順方向リンクパイロット位相測定値が取得されたかどうかを前記決定をする前に、ＧＰＳ探索を実行することを更に含む請求項８に記載の方法。
【請求項１０】
十分な中継器選別された順方向リンクパイロット位相測定値が取得されたかどうかを前記決定することは、十分なＧＰＳ擬似範囲と中継器選別された順方向リンクパイロット位相測定値とが位置決めのために取得されたかどうかを決定することを更に含む請求項９に記載の方法。
【手続補正書】
【提出日】平成18年11月24日(2006.11.24)
【手続補正１】
【補正対象書類名】特許請求の範囲
【補正対象項目名】請求項１０
【補正方法】変更
【補正の内容】
【請求項１０】
環状コアチョークであって、請求項８記載の環状コア（２）が設けられている形式のものにおいて、環状コア（２）の、２つのウェブ（３１，３２，３３）の間に位置する各区分（９１，９２，９３）に巻線（８）が巻き付けられていることを特徴とする、環状コアチョーク。
【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
デジタル加入者線アクセス・マルチプレクサ（ＤＳＬＡＭ）をスタックするためのアーキテクチャであって、
制御回路と、中央局へのアップリンク通信回路と、１つのマスタＤＳＬＡＭと隣接して回路が相互接続される２つのＤＳＬＡＭボックスと通信するための２つの低電圧差分信号（ＬＶＤＳ）回路とを有する、前記１つのマスタＤＳＬＡＭと、
プログラマブルの制御回路と、隣接して仮想的に回路が相互接続される２つのＤＳＬＡＭボックスと通信するための２つのＬＶＤＳ回路とを、それぞれが有する複数のスレーブＤＳＬＡＭと、
各スレーブＤＳＬＡＭの前記制御回路を選択的にプログラミングして、第１の選択されたモードにおいてラウンド・ロビンとして、そして第２の選択されたモードにおいてスプリットとして、前記各スレーブＤＳＬＡＭの前記ＬＶＤＳ回路における通信の方向を制御するための、選択的にプログラミングするプログラミング手段であって、前記スプリットは、前記１つのマスタＤＳＬＡＭを通じてのみ通信するために、前記１つのマスタＤＳＬＡＭと隣接した所望される仮想的回路相互接続において選択的にプログラムされるものである、プログラミング手段と
を備えるＤＳＬＡＭをスタックするためのアーキテクチャ。
【請求項２】
請求項１に記載のＤＳＬＡＭをスタックするためのアーキテクチャであって、前記マスタＤＳＬＡＭに隣接して回路が接続されている前記２つのＤＳＬＡＭボックスは、リング構造を形成する最初のスレーブＤＳＬＡＭと最後のスレーブＤＳＬＡＭとである、ＤＳＬＡＭをスタックするためのアーキテクチャ。
【請求項３】
請求項１に記載のＤＳＬＡＭをスタックするためのアーキテクチャであって、前記マスタＤＳＬＡＭに隣接して回路が接続されている前記２つのＤＳＬＡＭボックスは、デュアル・リンク構造を形成する最初のスレーブＤＳＬＡＭと中間のスレーブＤＳＬＡＭとである、ＤＳＬＡＭをスタックするためのアーキテクチャ。
【請求項４】
請求項１に記載のＤＳＬＡＭをスタックするためのアーキテクチャであって、前記スレーブＤＳＬＡＭを選択的にプログラミングする前記プログラミング手段は、仮想ボックスＩＤおよび仮想パス／回路ＩＤに基づいての、データおよび管理メッセージに関するプロキシ・スキームを使用する、ＤＳＬＡＭをスタックするためのアーキテクチャ。
【請求項５】
請求項１に記載のＤＳＬＡＭをスタックするためのアーキテクチャであって、前記スレーブＤＳＬＡＭを選択的にプログラミングする前記プログラミング手段は、仮想ボックスＩＤおよび仮想パス／回路ＩＤに基づいての、データおよび管理メッセージに関する中継トラフィック機構を使用する、ＤＳＬＡＭをスタックするためのアーキテクチャ。
【請求項６】
請求項１に記載のＤＳＬＡＭをスタックするためのアーキテクチャであって、前記スレーブＤＳＬＡＭのうちの１つスレーブＤＳＬＡＭの故障を検出するための手段を更に含み、選択的にプログラミングする前記プログラミング手段は、前記故障を検出するための手段に応答して、前記１つのマスタＤＳＬＡＭを通じてのみの通信を維持しつつ、ラウンド・ロビンの通信から、故障が生じた前記スレーブＤＳＬＡＭを回避するスプリット・パスの通信へと再プログラミングすることを可能にする、ＤＳＬＡＭをスタックするためのアーキテクチャ。
【請求項７】
請求項６に記載のＤＳＬＡＭをスタックするためのアーキテクチャであって、予備のマスタＤＳＬＡＭを更に備え、前記１つのマスタＤＳＬＡＭが故障したときに、前記予備のマスタＤＳＬＡＭは、制御回路と、中央局へのアップリンク通信回路と、マスタＤＳＬＡＭと隣接して回路が相互接続される２つのＤＳＬＡＭボックスと通信するための２つの低電圧差分信号（ＬＶＤＳ）回路とを有する１つのマスタＤＳＬＡＭとして動作することが可能にされるものであり、選択的にプログラミングする前記プログラミング手段は、新たな１つのマスタＤＳＬＡＭとしての前記予備のマスタＤＳＬＡＭを通じての通信を維持しつつ、ラウンド・ロビンの通信から、故障が生じた前記１つのマスタＤＳＬＡＭを回避するスプリット・パスの通信へと再プログラミングするものであり、前記スプリットは、前記予備のマスタＤＳＬＡＭを通じての通信のために、前記予備のマスタＤＳＬＡＭと隣接した所望される仮想的回路相互接続において選択的にプログラムされるものである、ＤＳＬＡＭをスタックするためのアーキテクチャ。
【請求項８】
デジタル加入者線アクセス・マルチプレクサ（ＤＳＬＡＭ）をスタックするためのアーキテクチャであって、
制御回路と、中央局へのアップリンク通信回路と、１つのマスタＤＳＬＡＭと隣接して回路が相互接続される２つのＤＳＬＡＭボックスと通信するための２つの低電圧差分信号（ＬＶＤＳ）回路とを有する、前記１つのマスタＤＳＬＡＭと、
プログラマブルの制御回路と、隣接して仮想的に回路が相互接続される２つのＤＳＬＡＭボックスと通信するための２つのＬＶＤＳ回路とを、それぞれが有する複数のスレーブＤＳＬＡＭと、
各スレーブＤＳＬＡＭの前記制御回路を選択的にプログラミングして、第１の選択されたモードにおいてラウンド・ロビンとして、そして第２の選択されたモードにおいてスプリットとして、前記各スレーブＤＳＬＡＭの前記ＬＶＤＳ回路における通信の方向を制御するための、選択的にプログラミングするプログラミング手段であって、前記スプリットは、前記１つのマスタＤＳＬＡＭを通じての通信のために、前記１つのマスタＤＳＬＡＭと隣接した所望される仮想的回路相互接続において選択的にプログラムされるものである、プログラミング手段と
前記スレーブＤＳＬＡＭのうちの１つスレーブＤＳＬＡＭの故障を検出するための手段であって、選択的にプログラミングする前記プログラミング手段が、故障を検出するための手段に応答して、前記１つのマスタＤＳＬＡＭを通じての通信を維持しつつ、ラウンド・ロビンの通信から、故障が生じた前記スレーブＤＳＬＡＭを回避するスプリット・パスの通信へと再プログラミングすることを可能にするものである、故障を検出するための手段と、
予備のマスタＤＳＬＡＭであって、前記１つのマスタＤＳＬＡＭが故障したときに、前記予備のマスタＤＳＬＡＭは、制御回路と、中央局へのアップリンク通信回路と、マスタＤＳＬＡＭと隣接して回路が相互接続される２つのＤＳＬＡＭボックスと通信するための２つの低電圧差分信号（ＬＶＤＳ）回路とを有する１つのマスタＤＳＬＡＭとして動作することが可能にされるものであり、選択的にプログラミングする前記プログラミング手段は、新たな１つのマスタＤＳＬＡＭとしての前記予備のマスタＤＳＬＡＭを通じての通信を維持しつつ、ラウンド・ロビンの通信から、故障が生じた前記１つのマスタＤＳＬＡＭを回避するスプリット・パスの通信へと再プログラミングするものであり、前記スプリットは、前記予備のマスタＤＳＬＡＭを通じての通信のために、前記予備のマスタＤＳＬＡＭと隣接した所望される仮想的回路相互接続において選択的にプログラムされるものである、予備のマスタＤＳＬＡＭと
を備えるＤＳＬＡＭをスタックするためのアーキテクチャ。
【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
ケミカルメカニカルプラナリゼーションに適した研磨パッドであって、
６０％以上のパッド表面高さ比Ｒを有する表面高さ確率分布を特徴とする実質的に平坦な面を有する多孔性パッドコンディショナ表面を含む、研磨パッド。
【請求項２】
Ｒが７０％以上である、請求項１記載の研磨パッド。
【請求項３】
ケミカルメカニカルプラナリゼーションに適した研磨パッドであって、
０．５０以下の非対称係数Ａ10を有する非対称表面高さ確率分布を特徴とする多孔性パッドコンディショナ表面を含む、研磨パッド。
【請求項４】
表面高さ確率分布が６０％以上のパッド表面高さ比Ｒを有する、請求項３記載の研磨パッド。
【請求項５】
Ｒが７０％以上である、請求項４記載の研磨パッド。
【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
１２〜５０個のヌクレオチドおよび／またはヌクレオチドアナログを含む化合物であって、ここで、
該化合物は、少なくとも８個のヌクレオチドまたはヌクレオチドアナログの部分配列を含み、
該部分配列は、配列：caaggaatatcacgtt中にあり、そして該配列中の該ヌクレオチドの少なくとも１つは対応するヌクレオチドアナログによって置き代えられる、
該化合物。
【請求項２】
該対応するヌクレオチドは、ＬＮＡ、２'−Ｏ−メチル ＲＮＡ、２'−フルオロ ＤＮＡ、２'−ＭＯＥ ＲＮＡ、２'−Ｏ−(３−アミノ)プロピル ＲＮＡ、および２'−Ｏ−(３−ヒドロキシ)プロピル ＲＮＡからなる群から選ばれる、請求項１記載の化合物。
【請求項３】
該対応するヌクレオチドはＬＮＡである、請求項１または２のいずれかに記載する化合物。
【請求項４】
該ＬＮＡは、チオ−ＬＮＡ、アミノ−ＬＮＡ、およびオキシ−ＬＮＡからなる群から選ばれる、請求項３記載の化合物。
【請求項５】
該ＬＮＡはベータ−Ｄ−オキシ−ＬＮＡである、請求項３または４のいずれかに記載する化合物。
【請求項６】
該化合物は、少なくとも１２個のヌクレオチドまたはヌクレオチドアナログの部分配列を含む、請求項１〜５のいずれか１つに記載する化合物。
【請求項７】
該化合物は、１２〜２０個のヌクレオチドおよび／またはヌクレオチドアナログを含む、請求項１〜６のいずれか１つに記載する化合物。
【請求項８】
該化合物は配列：CAAGgaatatcaCGTTまたはCAAGgaatatcaCGTtを含み、ここで、大文字はベータ−Ｄ−オキシ−ＬＮＡであり、小文字はＤＮＡであり、そして該ヌクレオチドおよび／またはヌクレオチドアナログは、ホスフェート基、ホスホロチオエート基、またはそれらの組み合わせによって一緒に連結する、請求項１記載の化合物。
【請求項９】
該化合物は、配列：CSASASGSgSaSaStSaStScSaSCSGSTSTを含み、ここで、大文字はベータ−Ｄ−オキシ−ＬＮＡであり、小文字はＤＮＡであり、そして下付き「ｓ」は、ホスホロチオエート連結基である、請求項８記載の化合物。
【請求項１０】
該化合物は、配列：CSASASGSgSaSaStSaStScSaSCSGSTSTを含み、ここで、大文字はベータ−Ｄ−オキシ−ＬＮＡであり、小文字はＤＮＡであり、そして下付き「ｓ」はホスホロチオエート連結基である、請求項９記載の化合物。
【請求項１１】
該化合物は、配列：COAOAOGOgSaSaStSaStScSaSCOGOTOTを含み、ここで、大文字はベータ−Ｄ−オキシ−ＬＮＡであり、小文字はＤＮＡであり、そして下付き「ｓ」はホスホロチオエート連結基であり、下付き「ｏ」はホスフェート連結基である、請求項８記載の化合物。
【請求項１２】
該化合物は、配列：COAOAOGOgSaSaStSaStScSaSCOGOTOTを含み、ここで、大文字はベータ−Ｄ−オキシ−ＬＮＡであり、小文字はＤＮＡであり、そして下付き「ｓ」はホスホロチオエート連結基であり、下付き「ｏ」はホスフェート連結基である、請求項１１記載の化合物。
【請求項１３】
該化合物は、配列：CSASASGSgSaSaStSaStScSaSCSGSTStを含み、ここで、大文字はベータ−Ｄ−オキシ−ＬＮＡであり、小文字はＤＮＡであり、そして下付き「ｓ」はホスホロチオエート連結基である、請求項８記載の化合物。
【請求項１４】
該化合物は、配列：CSASASGSgSaSaStSaStScSaSCSGSTStを含み、ここで、大文字はベータ−Ｄ−オキシ−ＬＮＡであり、小文字はＤＮＡであり、そして下付き「ｓ」はホスホロチオエート連結基である、請求項１３記載の化合物。
【請求項１５】
ＬＮＡシトシン（Ｃ）はＬＮＡ ５'メチルシトシン（５−Ｍｅｃ）である、請求項１〜１４のいずれか１つに記載する化合物。
【請求項１６】
請求項１〜１５のいずれか１つに記載する化合物、および医薬的に許容し得る希釈物、担体またはアジュバントを含有する、医薬組成物。
【手続補正書】
【提出日】平成19年1月4日(2007.1.4)
【手続補正１】
【補正対象書類名】特許請求の範囲
【補正対象項目名】全文
【補正方法】変更
【補正の内容】
【特許請求の範囲】
【請求項１】
宿主の心筋細胞の筋小胞体へのＳＥＲＣＡ２媒介カルシウムイオン輸送を増大させるための、ＳＥＲＣＡ２をコードする導入遺伝子を含むアデノ随伴ウイルス（ＡＡＶ）ベクターであって、前記導入遺伝子の発現が、処理されていない筋細胞と比べて処理された筋細胞で、ＳＥＲＣＡ２媒介カルシウムイオン輸送の増大を誘起する、前記アデノ随伴ウイルス（ＡＡＶ）ベクター。
【請求項２】
コロイド分散系に含まれている請求項１記載のＡＡＶベクター。
【請求項３】
前記宿主がうっ血性心不全と診断されたことがある請求項１記載のＡＡＶベクター。
【請求項４】
前記宿主がヒトである請求項３記載のＡＡＶベクター。
【請求項５】
請求項１〜４のいずれか一項に記載のＡＡＶベクターを含む医薬。
【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
推定モジュレーターとVDU1ポリペプチドを接触させるステップ；
推定モジュレーターがVDU1と結合するおよび／またはVDU1の活性をモジュレートするかどうかを確認するステップ；ならびに
HIF-αおよびVDU1を含んでなる試験系において、推定モジュレーターの、HIF-α安定性および／またはHIF-αのユビキチン化状態に与える効果を確認するステップ：
を含む試験方法。
【請求項２】
VDU1ポリペプチドを推定モジュレーターと接触させるステップ；
VDU1ポリペプチドと推定モジュレーターの間の結合を確認するステップ；
推定モジュレーターをHIF-αおよびVDU1を含んでなる試験系と接触させるステップ；ならびに；
推定モジュレーターの、HIF-αの安定性および／またはユビキチン化状態に与える効果を確認するステップ：
を含む、請求項１に記載の試験方法。
【請求項３】
VHLポリペプチド、VDU1ポリペプチドおよび推定モジュレーターを接触させるステップ；
推定モジュレーターがVHLとVDU1ポリペプチドの相互作用をモジュレートするかどうかを確認するステップ；
推定モジュレーターをVDU1、VHLおよびHIF-αを含んでなる試験系と接触させるステップ；
推定モジュレーターのHIF-αの安定性および／またはユビキチン化状態に与える効果を確認するステップ：
を含む、請求項１に記載の試験方法。
【請求項４】
試験方法が、モジュレーターの非存在のもとでVHLポリペプチドとVDU1ポリペプチドが複合体を生成する能力がある条件下で、VHLポリペプチド、VDU1ポリペプチドおよび推定モジュレーター化合物を接触させるステップを含んでなることを特徴とする、請求項３に記載の試験方法。
【請求項５】
推定モジュレーターをVDU1およびユビキチン化されたVDU1基質と接触させるステップ；
推定モジュレーターの、VDU1による基質の安定性および／またはユビキチン化状態をモジュレートする能力を確認するステップ；
推定モジュレーターをVDU1およびHIF-αを含んでなる試験系と接触させるステップ；
推定モジュレーターのHIF-αの安定性および／またはユビキチン化状態に与える効果を確認するステップ：
を含む試験方法。
【請求項６】
試験系がさらにVHLを含んでなることを特徴とする、請求項１、２、または５のいずれか１項に記載の試験方法。
【請求項７】
試験系が細胞であることを特徴とする、請求項１〜６のいずれか１項に記載の試験方法。
【請求項８】
細胞が低酸素条件下にあることを特徴とする、請求項７に記載の試験方法。
【請求項９】
細胞が正常酸素条件下にあることを特徴とする、請求項７に記載の試験方法。
【請求項１０】
推定モジュレーターのHIF-α安定性に与える効果をHIF応答レポーター遺伝子の活性により確認することを特徴とする、請求項７〜９のいずれか１項に記載の試験方法。
【請求項１１】
推定モジュレーターをVDU1およびユビキチン化されたHIF-αを含んでなる試験系と接触させるステップ；
推定モジュレーターの、VDU1によるHIF-αの安定性および／またはユビキチン化の状態をモジュレートする能力を確認するステップ：
を含む試験方法。
【請求項１２】
試験系がさらにVHLを含んでなることを特徴とする、請求項１１に記載の試験方法。
【請求項１３】
推定モジュレーターを、モジュレーターの非存在のもとでVDU1がHIF-αを安定化する能力のある条件下で試験系と接触させることを特徴とする、請求項１〜１２のいずれか１項に記載の試験方法。
【請求項１４】
医学的治療の方法に使用するためのVDU1のモジュレーター。
【請求項１５】
VDU1に対する抗体である、請求項１４に記載のモジュレーター。
【請求項１６】
VDU1をコードする配列を含んでなる核酸であって、細胞内に存在するとVDU1発現を増強させる請求項１４に記載のモジュレーター。
【請求項１７】
VDU1 mRNAとハイブリダイズする配列を含んでなるアンチセンスRNA、２本鎖VDU1 RNA、もしくはVDU1 RNAをターゲティングするリボザイムであるモジュレーターか、または上記アンチセンスRNA、２本鎖VDU1 RNA、もしくはリボザイムをコードするベクターであるモジュレーターであって、細胞内に存在するとVDU1発現を低下させる請求項１４に記載のモジュレーター。
【請求項１８】
VHLまたはVDU1アミノ酸配列の一部分に対応するアミノ酸配列を有するポリペプチドであり、そしてVHLまたはVDU1と特異的に結合してVHLおよびVDU1が相互作用するのを防止する、請求項１４に記載のモジュレーター。
【請求項１９】
HIFのモジュレーションが治療上重要な症状を治療する医薬を製造するための、VDU1のモジュレーターの使用。
【請求項２０】
モジュレーターが請求項１５〜１８のいずれか１項に記載のモジュレーターであることを特徴とする、請求項１９に記載の使用。
【請求項２１】
HIF活性の抑制が治療上重要な症状を治療する医薬を製造するためのVDU1のインヒビターの使用を含んでなる、請求項１９または２０に記載の使用。
【請求項２２】
疾患が炎症性疾患、癌、黄斑変性症および糖尿病性網膜症、アルツハイマー病、アテローム性動脈硬化症、乾癬、慢性関節リウマチおよび子宮内膜症からなる群から選択されることを特徴とする、請求項２１に記載の使用。
【請求項２３】
HIFの活性化が治療上重要な症状を治療する医薬を製造するためのVDU1のアクチベーターの使用を含んでなる、請求項１９または２０に記載の使用。
【請求項２４】
疾患が末梢および冠動脈疾患ならびに心筋虚血からなる群から選択される、請求項２３に記載の使用。
【請求項２５】
VDU1のモジュレーターおよび製薬上許容される賦形剤を含んでなる組成物。
【請求項２６】
モジュレーターが請求項１５〜１８のいずれか1項に記載のモジュレーターであることを特徴とする、請求項２５に記載の組成物。
【請求項２７】
円柱腫症の治療用医薬を製造するためのNF-κBインヒビターの使用。
【請求項２８】
上記インヒビターがアスピリンまたはプロスタグランジンA1であることを特徴とする、請求項２７に記載の使用。
【請求項２９】
NF-κBの活性化に関連する疾患の治療用医薬を製造するための、CYLDの発現を増加する薬剤の使用。
【請求項３０】
CYLD活性が抑制されているかまたは消失している細胞培養を提供するステップ；
上記培養を、試験すべき薬剤と接触させるステップ；および
NF-κBの活性に与える上記薬剤の効果を確認するステップを含んでなる試験方法。
【請求項３１】
CYLD活性がsiRNAを用いて抑制されている、請求項３０の方法。
【請求項３２】
薬剤の効果をレポーター遺伝子構築物を用いて確認する、請求項３０または３１の方法。
【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
メイン・プロセッサによる、少なくとも１つの外部通信装置との非同期シリアル通信を容易にする方法であって、
前記メイン・プロセッサに於いて一組のブロックを設定するステップであって、前記一組のブロックの各々には、シリアル通信を行うために前記メイン・プロセッサが実行すべき少なくとも１つの命令が含まれており、また、前記一組のブロックの各々が、所定の優先度でランする少なくとも１つのタスクを有し、且つ、相異なる各前記ブロックのタスクが階層型優先度を有する、前記ステップと、
前記ブロックの各々に含まれる少なくとも１つのタスクが、それぞれの優先度レベルでランするように各前記ブロックを実行するステップと、
対応する低優先度のタスクの完了時に高優先度のタスクをトリガするステップと、
を含む前記方法。  
【請求項２】
前記一組のブロックには、外部装置との通信を確立するデバイス・マネージャ・ブロックが含まれている、請求項１記載の方法。
【請求項３】
前記デバイス・マネージャ・ブロックが、更新目的でアドレス・ポーリングを起動するデバイス・マネージャ・タスクを起動する、請求項２記載の方法。
【請求項４】
前記一組のブロックには、外部装置との通信を行うのに使用される各シリアル・プロトコルの詳細を組み込んだシリアル・プロトコル・ブロックが含まれている、請求項１記載の方法。
【請求項５】
前記シリアル・プロトコル・ブロックが、外部装置との間でのデータの書き込みと読み出しとを制御するシリアル・プロトコル・タスクを起動する、請求項４記載の方法。
【請求項６】
前記一組のブロックには、シリアル・ポートとの低レベル通信をカプセル化するシリアル・ポート・ブロックが含まれている、請求項１記載の方法。
【請求項７】
前記シリアル・ポート・ブロックが、外部装置からデータを読み出すシリアル・リード・タスクを起動する、請求項６記載の方法。
【請求項８】
メイン・プロセッサによる、少なくとも１つの外部通信装置との非同期シリアル通信を容易にする方法であって、
前記メイン・プロセッサに於いて、シリアル装置を取り扱う第１のブロックと、プロトコルをカプセル化する第２のブロックと、外部装置との低レベル通信を行う第３のブロックとを設定するステップであって、前記ブロックの各々には、前記メイン・プロセッサが実行すべき少なくとも１つの命令が含まれており、また、前記ブロックの各々が、所定の優先度でランする少なくとも１つのタスクを有し、且つ、相異なる各前記ブロックのタスクが階層型優先度を有する、前記ステップと、
前記ブロックの各々に含まれる少なくとも１つのタスクが、それぞれの優先度レベルでランするように、前記第１、第２、および、第３のブロックを実行するステップと、
対応する低優先度のタスクの完了時に高優先度のタスクをトリガするステップと、
を含む方法。
【請求項９】
前記第１のブロックには、更新目的でアドレス・ポーリングを起動する第１のタスクが含まれる、請求項８記載の方法。
【請求項１０】
前記第２のブロックが、外部装置との間でのデータの書き込みと読み出しとを制御する第２のタスクを起動する、請求項８記載の方法。
【請求項１１】
前記第３のブロックが、外部装置からデータを呼び出す第３のタスクを起動する、請求項８記載の方法。
【請求項１２】
メイン・プロセッサを含み、少なくとも１つの外部通信装置との非同期シリアル通信を容易にするシステムであって、
データと前記メイン・プロセッサによって実行される各命令とを含み、シリアル装置を取り扱う第１のブロックと、
データと前記メイン・プロセッサによって実行される各命令とを含み、プロトコルをカプセル化する第２のブロックと、
データと前記メイン・プロセッサによって実行される各命令とを含み、少なくとも１つの外部装置との低レベル通信を行う第３のブロックと、を含み、
前記ブロックの各々が、所定の優先度でランする少なくとも１つのタスクを有し、且つ、相異なる各前記ブロックのタスクが階層型優先度を有し、
前記メイン・プロセッサが、前記ブロックの各々に含まれる少なくとも１つのタスクがそれぞれの優先度レベルでランするように、前記第１、第２、および、第３のブロックを実行し、
高優先度のタスクが、対応する低優先度のタスクの完了時に、トリガされる、前記システム。
【請求項１３】
前記第１のブロックには、更新目的でアドレス・ポーリングを起動する第１のタスクが含まれる、請求項１２記載のシステム。
【請求項１４】
前記第２のブロックが、外部装置との間でのデータの書き込みと読み出しとを制御する第２のタスクを起動する、請求項１２記載のシステム。
【請求項１５】
前記第３のブロックが、外部装置からデータを読み出す第３のタスクを起動する、請求項１２記載のシステム。